(57)【特許請求の範囲】
【請求項１】
設置壁面に対して手摺杆を取付けるブラケット本体は、該設置壁面に固定される取付板部と該取付板部端に垂設される支持板部とよりなり、該支持板部は、外側面側に該手摺杆の一端を支持する支持部が設けられた略Ｕ字状外周面をなす端板部と、該端板部の内側面側に連設され該端板部外周面に沿って内方に位置する略Ｕ字状外周面をなす段部とを具備し、また該ブラケット本体を被覆するブラケットカバーは、該ブラケット本体の該取付板部上部を被覆すると共にその端縁部が該段部に沿う略Ｕ字状をなす形状を有し、該ブラケットカバーにおける端縁部内面に突設した突起部が該ブラケット本体の該段部面に凹設した溝穴部に係合することにより該ブラケットカバーが該ブラケット本体に係止される手摺取付装置において、該ブラケットカバーの該突起部は、その略Ｕ字状の自由端にむけて、該ブラケットカバーにおける該端縁部内面から傾斜状に立上がる傾斜縁、該傾斜縁頂部から該端縁部内面と並行する並行縁、該並行縁端部から該端縁部内面と垂直に延びる垂直縁、該垂直縁頂部から該端縁部内面とほぼ並行に延びる頂縁によって形成され、該傾斜縁から該頂縁に至る該突起部が嵌合しうる長さを有する該ブラケット本体の該溝穴部は、該溝穴部の長さ方向に該段部との境界段差面を形成するように凹設され、また誘導凹所が該溝穴部の幅方向に該溝穴部に連続して凹設され、該誘導凹所には該誘導凹所底部の開始位置から該段部面上まで該頂縁先端が摺動しうる誘導斜面が設けられ、該溝穴部に嵌合している該突起部を該突起部の該傾斜縁が該境界段差面上を摺動するように該溝穴部の長さ方向に移動させることによって、該垂直縁が該境界段差面に当接し且つ該並行縁が該段部面上に当接した状態から、該突起部を該溝穴部の幅方向に移動させることにより該頂縁先端を該誘導凹所における該誘導斜面の該開始位置に位置させるようにしたことを特徴とする手摺取付装置。
【請求項２】
前記誘導凹所は、前記溝穴部の境界段差面に連続する側壁面を有し、前記誘導斜面は、該側壁面の他端位置において該溝穴部の長さ方向に向けて設けられていることを特徴とする請求項１記載の手摺取付装置。
【請求項３】
前記誘導凹所は、前記溝穴部の境界段差面に連続する側壁面を有し、前記誘導斜面は、該溝穴部の底面より浅い位置の溝穴画成縁から該溝穴部の幅方向に向けて設けられていることを特徴とする請求項１記載の手摺取付装置。
【請求項４】
前記ブラケット本体の支持板部端板部内側面側には、前記段部を挟んで略Ｕ字状断面をなす隆状段部が形成され、該段部の面は該端部と該隆状段部とに挟まれた凹陥溝底面およびその連続面で形成されていることを特徴とする請求項１乃至３のいずれか１項記載の手摺取付装置。
【請求項５】
前記ブラケットカバーの頂縁は、該Ｕ字状の自由端方向にむけてブラケットカバー内面側に傾斜する斜状縁で形成されていることを特徴とする請求項１乃至４のいずれか１項記載の手摺取付装置。
【発明の詳細な説明】
【０００１】
【発明の属する技術分野】
本発明は、建物用の手摺において、手摺杆を設置壁面に取付けるための手摺取付装置の改良に関する。
【０００２】
【従来の技術】
本発明にかかる発明者は、本発明に関連する手摺取付装置の開発を既に行っており、特願平８−３４２４４号や特願平８−１４２３９１号として出願もなされている。即ちこれらの手摺取付装置は、図１において、単一の手摺杆１の端部を支持して設置壁面２に取付けるための単独型手摺取付装置３Ａや、連結すべき手摺杆１，１の両端部を支持して設置壁面２に取付けるための連結型手摺取付装置３Ｂであって、これらの手摺取付装置の主要部品は、連結すべき手摺杆１を支持し設置壁面２に取付けるためのブラケット本体と、このブラケット本体の取付ネジ頭等を外部に露出しないように被覆するブラケットカバーとよりなり、手摺杆１を装着したブラケット本体を取付ネジによって設置壁面に取付け、これにブラケットカバーを嵌合して手摺を完成するものである。しかしながら、これらの手摺取付装置では、ブラケット本体とブラケットカバーとは簡単に取外しができないような係着手段で係着されているので、装着したブラケットカバーがいたずら等によって取外される危惧はなくなるものの、手摺の修理や交換等の際に、ブラケットカバーの取外しは困難を窮め、取外しの際に部品に無理な応力を加えて部品を破損するような事態も生じている。
【０００３】
【発明が解決しようとする課題】
本発明は、前記した不便を解消するために開発され、本発明が解決しようとする課題は、手摺の修理や交換の際には、ブラケット本体に係着しているブラケットカバーを取外すことが可能であると共に、ブラケットカバーの取外しは複数操作を必要とすることにより、不用意にブラケットカバーが脱落してブラケットカバーが紛失してしまう欠点や、手摺使用中に偶発的にブラケットカバーが脱落して使用者の身体を傷つけるような危険性を回避することができる手摺取付装置を提供することにある。
【０００４】
【課題を解決するための手段】
前記課題を解決するために、本発明による手摺取付装置は、設置壁面に対して手摺杆を取付けるブラケット本体は、該設置壁面に固定される取付板部と該取付板部端に垂設される支持板部とよりなり、該支持板部は、外側面側に該手摺杆の一端を支持する支持部が設けられた略Ｕ字状外周面をなす端板部と、該端板部の内側面側に連設され該端板部外周面に沿って内方に位置する略Ｕ字状外周面をなす段部とを具備し、また該ブラケット本体を被覆するブラケットカバーは、該ブラケット本体の該取付板部上部を被覆すると共にその端縁部が該段部に沿う略Ｕ字状をなす形状を有し、該ブラケットカバーにおける端縁部内面に突設した突起部が該ブラケット本体の該段部面に凹設した溝穴部に係合することにより該ブラケットカバーが該ブラケット本体に係止される手摺取付装置において、該ブラケットカバーの該突起部は、その略Ｕ字状の自由端にむけて、該ブラケットカバーにおける該端縁部内面から傾斜状に立上がる傾斜縁、該傾斜縁頂部から該端縁部内面と並行する並行縁、該並行縁端部から該端縁部内面と垂直に延びる垂直縁、該垂直縁頂部から該端縁部内面とほぼ並行に延びる頂縁によって形成され、該傾斜縁から該頂縁に至る該突起部が嵌合しうる長さを有する該ブラケット本体の該溝穴部は、該溝穴部の長さ方向に該段部との境界段差面を形成するように凹設され、また誘導凹所が該溝穴部の幅方向に該溝穴部に連続して凹設され、該誘導凹所には該誘導凹所底部の開始位置から該段部面上まで該頂縁先端が摺動しうる誘導斜面が設けられ、該溝穴部に嵌合している該突起部を該突起部の該傾斜縁が該境界段差面上を摺動するように該溝穴部の長さ方向に移動させることによって、該垂直縁が該境界段差面に当接し且つ該並行縁が該段部面上に当接した状態から、該突起部を該溝穴部の幅方向に移動させることにより該頂縁先端を該誘導凹所における該誘導斜面の該開始位置に位置させるようにしたことを主な特徴とする。
【０００５】
また前記誘導凹所の一つの態様として、前記誘導凹所は、前記溝穴部の境界段差面に連続する側壁面を有し、前記誘導斜面は、該側壁面の他端位置において該溝穴部の長さ方向に向けて設けられていることを特徴とする。
さらに前記誘導凹所の他の態様として、前記誘導凹所は、前記溝穴部の境界段差面に連続する側壁面を有し、前記誘導斜面は、該溝穴部の底面より浅い位置の溝穴画成縁から該溝穴部の幅方向に向けて設けられていることを特徴とする。
また、前記段部の形態として、前記ブラケット本体の支持板部端板部内側面側には前記段部を挟んで略Ｕ字状断面をなす隆状段部が形成され、該段部の面は該端部と該隆状段部とに挟まれた凹陥溝底面およびその連続面で形成されていることを特徴とする。
さらに、ブラケットカバーの装着を容易にするために、前記ブラケットカバーの頂縁は、該略Ｕ字状の自由端方向にむけてブラケットカバー内面側に傾斜する斜状縁で形成されていることを特徴とする。
【０００６】
【発明の実施の形態】
本発明の実施の形態について添付図面を参照して説明する。図１には、上下方向および水平方向に延びる直角状をなす２本の手摺杆１，１について、それぞれの末端を単独に支持し設置壁面２であるタイル壁面に取付けられる単独型手摺取付装置３Ａと、手摺杆１，１の連結部分で両者の手摺杆１，１の末端を纏めて支持し設置壁面２に取付けられる連結型手摺取付装置３Ｂとの配置が示される。これらの手摺取付装置３Ａ，３Ｂは、手摺を取付けることのできる建物の任意の設置壁面２に設置して使用することができるが、特に水を多用する浴室、洗面所、ユティリティルーム、厨房等に設置して使用する場合に特に有効である。本発明は、このような手摺取付装置３Ａ，３Ｂに適用される技術である。
【０００７】
本発明は、単独型手摺取付装置３Ａおよび連結型手摺取付装置３Ｂとに共通する技術であるが、最初に単独型手摺取付装置３Ａに関する実施態様について説明する。図２は手摺杆１の端部を加えた単独型手摺取付装置３Ａの分解斜視図であって、図中１０はブラケット本体、３０はブラケットカバーを示す。ブラケット本体１０およびブラケットカバー３０は、共にＡＢＳ樹脂のような弾力性を有する硬質合成樹脂または金属等の成形によって製造される。ブラケット本体１０には設置壁面２に固定される取付板部１１と、取付板部１１の端縁より垂設される支持板部１２とが形成されており、取付板部１１には取付壁面２へブラケット本体１０を取付固定するための取付ネジを挿通するネジ孔１３が穿設されている。支持板部１２の端板部１４は略Ｕ字状外周面を有し、端板部１４の外側面側には合成樹脂被覆鋼管製の手摺杆１の端部を嵌着するための環状溝１５が手摺杆支持部として形成されている。
【０００８】
部分を詳細に記載した図３に示されるように、端板部１４の内側面側には、凹陥溝１６を挟んで、端板部１４の略Ｕ字状外周面に沿って内方に位置する略Ｕ字状外周面を有する隆状段部１７が形成されており、後述するブラケットカバー３０の裏面が密着被覆されるようにされている。したがって凹陥溝１６の底面は端板部１４の略Ｕ字状外周面より内方に位置する段部１８の面を形成しており、左右の対称位置にある段部１８の双方の末端には段部１８より深い溝穴部１９，１９が形成されている。一方、ブラケットカバー３０は、ブラケット本体１０の上面を周囲から被覆する形状を有し、その一方の端縁部３１はブラケット本体１０の隆状段部１７に密着して被覆するような略Ｕ字状断面を有する。そして端縁部３１に沿って突縁３２が形成され、ブラケット本体１０に嵌合した場合に、ブラケット本体１０の凹陥溝１６に係合するようにされている。さらにブラケット本体１０に係合した際に、ブラケット本体１０の双方の溝穴部１９，１９に係着する双方の突起部３３，３３が左右の対称位置における略Ｕ字状の先端側に設けられている。
【０００９】
突起部３３について図３を参照してより詳細に説明すると、ブラケットカバー３０の端縁部３１において、突起部３３は、突縁３２に連続してその略Ｕ字状の自由端に向けて、ブラケットカバー３０の端縁部３１から傾斜状に立上がる傾斜縁３４、傾斜縁３４頂部から端縁部３１内面と並行する並行縁３５、並行縁３５端部から端縁部３１内面と垂直に延びる垂直縁３６、垂直縁３６頂部から該Ｕ字状の自由端方向に向けて端縁部３１内面側に傾斜する頂縁３７により構成されている。頂縁３７はこの態様においてはブラケットカバー３０の装着を容易にするために斜状縁とされているが、必ずしも斜状縁である必要はなく、端縁部３１内面とほぼ並行に延びる並行状の縁で形成されてもよい。
【００１０】
かかるブラケットカバー３０の突起部３３に対応するブラケット本体１０の段部１８における溝穴部１９付近の詳細も図３に示される。即ち端板部１４と隆状段部１７に挟まれる凹窪溝１６の底面である段部１８の面の末端に凹設された溝穴部１９は傾斜縁３４から頂縁３７に至る突起部３３の全長が嵌入しうる長さを有すると共に、その長さ方向に段部１８との境界段差面２０を形成するように凹設されている。また溝穴部１９に隣接してその幅方向には誘導凹所２１が凹設されており、誘導凹所２１には境界段差面２０に連続する側壁面２２と溝穴部１９の底面より浅くされ、突起部３３の垂直縁３６の高さより深くされた凹所底面２３が形成されている。誘導凹所２１における側壁面２２の他端位置には凹所端面２４に接して凹所底面２３を開始位置とする段部１８の面上に至る誘導斜面２５が溝穴部１９の長さ方向に向けて形成され、誘導斜面２５に連続する位置の隆起段部１７にも連続誘導斜面２６が形成されている。
【００１１】
手摺杆１を支持させ設置壁面２に取付けたブラケット本体１０にブラケットカバー３０を装着するには、ブラケット本体１０の凹陥溝１６に突起部３３の頂縁３７を嵌合し、そのまま凹陥溝１６の方向にブラケットカバー３０を押込めば、ブラケットカバー３０の対称的に向合って突設されている双方の突起部３３，３３は、ブラケット本体１０の対向する段部１８，１８の面上を摺動し、ブラケットカバー３０の弾発力によって突起部３３は溝穴部１９に対し挿入方向の応力を受けるから、突起部３３の傾斜縁３４が境界段差面２０の縁上に達した時点で、突起部３３全体が溝穴部１９に引込まれ、図４に示されるように、突起部３３全体が溝穴部１９に完全に係合した状態でブラケットカバー３０はブラケット本体１０に係止される。なおブラケットカバー３０およびブラケット本体１０には、他の個所に他の補助的係合手段や両者の係止位置を規制する手段が採用されることがあるが、それらは本発明の要点ではない。図４に示される係止状態が手摺設置後の手摺使用状態となるが、通常の使用でこの係止状態が解除されることはなく、安定した手摺使用状態を維持することができる。
【００１２】
また手摺使用状態では、ブラケットカバー３０はブラケット本体１０にその周縁部が密着した状態で係止されているので、両者の隙間からブラケット本体１０内への水の侵入による障害を引き起すようなことはない。次に手摺の修理や交換の際に、ブラケット本体１０からブラケットカバー３０を取外す手順について説明する。図４に示される手摺使用状態からブラケットカバー３０を摘んでその略Ｕ字状の頂点方向に引上げると、図５に示されるように、ブラケットカバー３０の弾力に抗してブラケットカバー３０の略Ｕ字状自由端側を外方に開くように、ブラケットカバー３０の突起部３３における傾斜縁３４が境界段差面２０の縁上を摺動する。ブラケットカバー３０が傾斜縁３４の始点から垂直縁３６までの距離を上方に移動し、ブラケットカバー３０の自由端が並行縁３５の高さ分浮上がった後に並行縁３５が段部１８に当接し、垂直縁３６が境界段差面２０に当接した位置で引上げは強制的に停止され、図６に示される移動停止状態となる。
【００１３】
本発明では、ブラケットカバー３０の取外し時に、ブラケットカバー３０が手摺使用状態から短い距離移動された後に、一時的にブラケットカバー３０の移動を停止させる移動停止状態を得ることができるので、ブラケットカバー３０の取外し時に、ブラケットカバー３０が一気に分離放擲されて破損したり、紛失したりする事態を生じさせないようにすると共に、手摺使用状態において何らかの強い応力がブラケットカバー３０に作用し、ブラケットカバー３０がかかる移動停止状態位置まで移動したとしても、ブラケットカバー３０はその状態で留まるから、手摺使用者の身体がブラケット本体１０やブラケットカバー３０の鋭利な個所に接触して怪我をしたりする虞がなく、手摺使用中の安全性を確保することもできる。
【００１４】
移動停止状態からさらにブラケットカバー３０を取外すには、ブラケットカバー３０を溝穴部１９の幅方向に端板部１４から引離すように移動する。この際にブラケットカバー３０の自由端は設置壁面２より離れ、またブラケットカバー３０の端縁部３１も端板部１４から浮上がっているので、ブラケットカバー３０の移動のための手掛りを得ることは容易である。並行縁３５が段部１８に当接し、垂直縁３６が境界段差面２０およびこれに連続する側壁面２２に当接したままで突起部３３は誘導凹所２１に侵入し、やがて突起部３３が側壁面２２の端位置まで移動して凹所端面２４に当接した場合に、頂縁３７の先端が誘導斜面２５の位置にさしかかり、この位置からブラケットカバー３０をその略Ｕ字状の頂点方向に引上げると、図７に示されるようにブラケットカバー３０の弾発力に抗して頂縁３７の先端は誘導斜面２５および連続誘導斜面２６上を摺動し、ブラケットカバー３０を取外すことができる。このように手摺使用状態からブラケットカバー３０の取外し迄の過程を、ブラケットカバー３０を所定方向に移動する簡単な操作で行うことが可能である。
【００１５】
次に連結型手摺取付装置３Ｂに関する実施態様について説明を行う。図８乃至図１０は連結型手摺取付装置３Ｂに関する図面であり、連結型手摺取付装置３Ｂでは単独型手摺取付装置３Ａと比較して、連結すべき一対の手摺杆１，１を支持するために、取付板部１１に対して一対の支持板部１２，１２が直角に位置して垂設される点等の相違点も存在するが、単独型手摺取付装置３Ａと同様材料で成形製造されるものであり、また各部の構成に関しては、両者共通する個所が多く、連結型手摺取付装置３Ｂを示す図８乃至図１０において付された符号中、単独型手摺取付装置３Ａについて付した符号と同一な符号は、単独型手摺取付装置３Ａと同様個所を示す符号として使用されている。
【００１６】
図８乃至図１０に示される連結型手摺取付装置３Ｂについて単独型手摺取付装置３Ａとの相違点は次のとおりである。
▲１▼単独型手摺取付装置３Ａでは、単一の手摺杆１を支持するために、取付板部１１に対して単一の支持板部１２が垂設されているが、連結型手摺装置３Ｂでは、連結すべき一対の手摺杆１，１を支持するために、取付板部１１に対して一対の支持板部１２，１２が直角に位置して垂設される点。
▲２▼単独型手摺取付装置３Ａでは、ブラケットカバー３０の形状は、手摺杆１の軸線方向から見て左右対称であり、本発明の特徴とするブラケット本体１０の溝穴部１９とブラケットカバー３０の突起部３３との係止機構も左右対称に具備されるが、連結型手摺取付装置３Ｂでは、ブラケットカバー３０の形状は、いずれの手摺杆１，１の軸線方向から見ても左右非対称であり、本発明の特徴とするブラケット本体１０の溝穴部１９とブラケットカバー３０の突起部３３との係止機構は出隅側のみに適用され、入隅側では、図９に示されるブラケットカバー３０の自由端縁４０から突出する突子４１，４１を図８に示されるブラケット本体１０の取付板部１１から立上がる入隅壁４２の頂縁溝４３に嵌入させて係止させるようにした点。
【００１７】
▲３▼単独型手摺取付装置３Ａでは、端板部１４の内側面側に凹陥溝１６を挟んでブラケットカバー３０の裏面が密着被覆される隆状段部１７が形成されており、凹陥溝１６の底面が段部１８の面を形成しているが、連結型手摺取付装置３Ｂでは、隆状段部１７は形成されておらず、端板部１４の内側面側にブラケットカバー３０の裏面が密着被覆される段部１８が形成されている点。
▲４▼単独型手摺取付装置３Ａでは、ブラケット本体１０に凹陥溝１６が形成され、またブラケットカバー３０の端縁部３１に沿って凹陥溝１６に係合する突縁３２が形成されているが、連結型手摺取付装置３Ｂでは、ブラケット本体１０に凹陥溝１６は形成されておらず、またブラケットカバー３０に突縁３２も形成されていない点。
【００１８】
前記の相違点の他に、本発明の特徴とするブラケット本体１０の溝穴部１９とブラケットカバー３０の突起部３３との係止機構についても連結型手摺取付装置３Ｂ用の設計がなされているので、この点に関して以下説明する。図９に示されるように、連結型手摺取付装置３Ｂにおける突起部３３は、前述のようにブラケットカバー３０の出隅側にのみ設けられる。また前述のように連結型手摺取付装置３Ｂのブラケットカバー３０には、その端縁部３１に単独型手摺取付装置３Ａにおけるような突縁３２は設けられず、突起部３３は、端縁部３１から僅かに内方に位置した個所に独立して突設される。図１０に示されるように、突起部３３が略Ｕ字状の自由端に向けて、ブラケットカバー３０の端縁部３１から傾斜状に立上がる傾斜縁３４、傾斜縁３４頂部から端縁部３１内面と並行する並行縁３５、並行縁３５端部から端縁部３１内面と垂直に延びる垂直縁３６、垂直縁３６頂部から該略Ｕ字状の自由端方向に向けて端縁部３１内面側に傾斜する頂縁３７により形成されている点は単独型手摺取付装置３Ａと同様である。
【００１９】
かかるブラケットカバー３０の突起部３３に対応するブラケット本体１０の段部１８における溝穴部１９付近の詳細も図１０に示される。即ち端板部１４から僅かに離れた段部１８の面の末端に凹設された溝穴部１９は、傾斜縁３４から頂縁３７に至る突起部３３の全長が嵌入しうる長さを有すると共に、その長さ方向に段部１８との境界段差面２０を形成するように凹設されている。また溝穴部１９に隣接してその幅方向には誘導凹所２１が凹設されており、誘導凹所２１には、境界段差面２０に連続する側壁面２２と、溝穴部１９の底面より浅い位置で溝穴部１９の一縁を画成する溝穴画成縁４４上を開始位置として溝穴部１９の幅方向に向けた誘導斜面２５とが設けられている。
【００２０】
一対の手摺杆１，１を支持させ設置壁面２に取付けたブラケット本体１０にブラケットカバー３０を装着するには、ブラケット本体１０に対しブラケットカバー３０を上方から押込めばよい。ブラケットカバー３０の入隅側では、図９に示される自由端縁４０の突子４１，４１が図８に示される入隅壁４２の頂部溝４３に嵌合し、また出隅側では、単独型手摺取付装置３Ａで説明したと同様に、突起部３３全体が溝穴部１９に完全に係合した状態でブラケットカバー３０はブラケット本体１０に係止される。なおブラケットカバー３０およびブラケット本体１０には、他の個所に他の補助的係合手段や両者の係止位置を規制する手段が採用されることがあるが、それらは本発明の要点ではない。かかる係止状態が単独型手摺取付装置３Ａで説明したと同様に、手摺設置後の手摺使用状態となる。手摺の修理や交換の際に、ブラケット本体１０からブラケットカバー３０を取外す手順も、手摺使用状態から移動停止状態に至る手順は、単独型手摺取付装置３Ａの場合と同様である。手摺使用状態からブラケットカバー３０を摘んでその略Ｕ字状の頂点方向に引上げると前述のように移動停止状態となる。
【００２１】
移動停止状態では、出隅側においては、並行縁３５が段部１８に載置され、垂直縁３６が境界段差面２０に当接した位置で引上げは強制的に停止される。また突起部３３における頂縁３７は溝穴画成縁４４より脱出することになり、他方入隅側においては、自由端縁４０における突子４１，４１は、入隅壁４２の頂縁溝４３から抜出して該部の係止状態を解除する。移動停止状態からさらにブラケットカバー３０を取外すには、ブラケットカバー３０の出隅側を持上げ、入隅側の自由端縁４０を中心としてブラケットカバー３０全体をブラケットカバー３０の弾発力に抗して回転させる。この際にブラケットカバー３０の自由端は設置壁面２より離れ、またブラケットカバー３０の端縁部３１も端板部１４から浮上がっているので、ブラケットカバー３０を回転するための手掛りを得ることは容易である。この回転によって溝穴画成線４４を脱出している頂縁３７はその先端が誘導斜面２５を摺動し、ブラケットカバー３０を取外すことができる。このように連結型手摺取付装置３Ｂにおいても、手摺使用状態からブラケットカバー３０の取外し迄の過程を、ブラケットカバー３０を所定方向に移動し且つ回転させる簡単な操作で行うことが可能である。
【００２２】
【発明の効果】
本発明は、次のような効果を奏する。
Ａ．手摺の修理や交換時に、部品を破損させるような無理な応力を作用させずにブラケット本体からブラケットカバーを取外すことができる。
Ｂ．ブラケット本体からブラケットカバーを取外す作業は、ブラケットカバーの単純な移動、回転等によって行うことができ、特別な工具を必要としない。
Ｃ．ブラケットカバーの装着時に、ブラケットカバーの弾発力によって突起部は溝穴部に対し挿入方向の応力を受けるから、突起部の傾斜縁が境界段差面の縁上に達した時点で、突起部全体が溝穴部に引込まれ、突起部全体が溝穴部に完全に係合した状態でブラケットカバーがブラケット本体に係止され、通常の使用でこの係止状態が解除されることはなく、安定した手摺使用状態を維持することができる。
【００２３】
Ｄ．ブラケット本体からブラケットカバーを取外す工程中で、ブラケットカバーが手摺使用状態から短い距離移動された位置で移動停止状態となり、一時的にブラケットカバーの移動が強制的に停止されるから、ブラケットカバーの取外し時に、ブラケットカバーが一気に分離放擲されて破損したり、紛失したりする事態を生じさせない。
Ｅ．手摺使用状態において何らかの強い応力がブラケットカバーに作用し、ブラケットカバーが移動したとしても、ブラケットカバーが手摺使用状態から短い距離移動された位置で移動停止状態となり、一時的にブラケットカバーの移動が強制的に停止されるから、使用者の身体がブラケット本体やブラケットカバーの鋭利な個所に接触して怪我をしたりする虞がなく、手摺使用中の安全性を確保することができる。
Ｆ．移動停止状態から、さらにブラケットカバーを取外す際に、ブラケットカバーの自由端は設置壁面より離れ、またブラケットカバーの端縁部も支持板部の端板部から浮上がっているので、ブラケットカバーのその後の移動のための手掛りを容易に得ることができる。
【図面の簡単な説明】
【図１】手摺取付装置の配置を示す斜視図である。
【図２】本発明による手摺取付装置の一実施態様を示す分解斜視図である。
【図３】同実施態様のブラケット本体とブラケットカバーとの係止機構を示す部分欠截分解斜視図である。
【図４】同実施態様のブラケットカバー係着状態を示す部分欠截斜視図である。
【図５】同実施態様のブラケットカバー取外し初期過程を示す部分欠截斜視図である。
【図６】同実施態様のブラケットカバー取外し過程における移動停止状態を示す部分欠截斜視図である。
【図７】同実施態様のブラケットカバー取外し過程における頂縁の誘導斜面摺動状態を示す部分欠截斜視図である。
【図８】本発明の手摺取付装置の他の実施態様を示す分解斜視図である。
【図９】他方向から見た図８に示す実施態様を示す分解斜視図である。
【図１０】図８に示す実施態様のブラケット本体とブラケットカバーとの係止機構を示す部分欠截分解斜視図である
【符号の説明】
１  手摺杆                        ２  設置壁面
１０  ブラケット本体              １１  取付板部
１２  支持板部                    １４  端板部
１６  凹陥溝                      １７  隆状段部
１８  段部                        １９  溝穴部
２０  境界段差面                  ２１  誘導凹所
２２  側壁面                      ２５  誘導斜面
３０  ブラケットカバー            ３１  端縁部
３３  突起部                      ３４  傾斜縁
３５  並行縁                      ３６  垂直縁
３７  頂縁                        ４４  溝穴画成縁
【図１】
0003594414.tif 000002
【図２】
0003594414.tif 000003
【図３】
0003594414.tif 000004
【図４】
0003594414.tif 000005
【図５】
0003594414.tif 000006
【図６】
0003594414.tif 000007
【図７】
0003594414.tif 000008
【図８】
0003594414.tif 000009
【図９】
0003594414.tif 000010
【図１０】
0003594414.tif 000011